(57)【要約】【目的】  薄厚にもかかわらず十分な強度を有し、既設の窓枠に簡便に被着され、美麗に仕上げることのできるリフォーム用窓枠を提供すること。【構成】  表面に化粧シート（１）が配設された薄板（２）から形成され、薄板裏面に設けられたＶ溝（４）で折り曲げられて形成された断面コ字型形状部を有し、この断面コ字型形状部の内面三面が補強材により連結されている。【選択図】図１
2005127067.tif 000002
【特許請求の範囲】
【請求項１】
表面に化粧シートが配設された薄板から形成され、薄板裏面に設けられたＶ溝で折り曲げられて形成された断面コ字型形状部を有し、この断面コ字型形状部の内面三面が補強材により連結されていることを特徴とするリフォーム用窓枠。
【請求項２】
補強材がウレタン樹脂であり、断面コ字型形状部が型枠内に保持された状態においてウレタン樹脂の注入により断面コ字型形状部の内面三面が連結された請求項１記載のリフォーム用窓枠。
【請求項３】
補強材は板材であり、ホットメルト系接着剤を介して断面コ字型形状部の内面三面が板材により連結された請求項１記載のリフォーム用窓枠。
【発明の詳細な説明】
【技術分野】
【０００１】
この出願の発明は、リフォーム用窓枠に関するものである。さらに詳しくは、この出願の発明は、薄厚にもかかわらず十分な強度を有し、既設の窓枠に簡便に被着され、美麗に仕上げることのできるリフォーム用窓枠に関するものである。
【背景技術】
【０００２】
枠材には様々なものが提供されている（たとえば、特許文献１参照）。
【特許文献１】特開平９−２１７５５４号公報
【発明の開示】
【発明が解決しようとする課題】
【０００３】
しかしながら、リフォーム用の窓枠は知られていない。住宅のリフォームへの需要は潜在的にあり、リフォームに際して簡便に適用可能なリフォーム用窓枠が切望される。だが、留意すべき点は、サッシュとの取り合いであり、見栄え良く納めるためには、見切り材を不用とする薄厚なものとする必要があるが、ある程度の強度を有していないと加工が難しくなる。
【０００４】
この出願の発明は、このような事情に鑑みてなされたものであり、薄厚にもかかわらず十分な強度を有し、既設の窓枠に簡便に被着され、美麗に仕上げることのできるリフォーム用窓枠を提供することを解決すべき課題としている。
【課題を解決するための手段】
【０００５】
この出願の発明は、上記の課題を解決するものとして、第１には、表面に化粧シートが配設された薄板から形成され、薄板裏面に設けられたＶ溝で折り曲げられて形成された断面コ字型形状部を有し、この断面コ字型形状部の内面三面が補強材により連結されていることを特徴とするリフォーム用窓枠を提供する。
【０００６】
この出願の発明は、第２には、上記第１のリフォーム用窓枠において、補強材がウレタン樹脂であり、断面コ字型形状部が型枠内に保持された状態においてウレタン樹脂の注入により断面コ字型形状部の内面三面が連結されたことを提供する。
【０００７】
この出願の発明は、第３には、上記第１のリフォーム用窓枠において、補強材は板材であり、ホットメルト系接着剤を介して断面コ字型形状部の内面三面が板材により連結されたことを提供する。
【発明の効果】
【０００８】
この出願の発明のリフォーム用窓枠によれば、薄厚にもかかわらず十分な強度を有し、既設の窓枠に簡便に被着し、美麗に仕上げることができる。
【発明を実施するための最良の形態】
【０００９】
以下、図面に沿ってこの出願の発明のリフォーム用窓枠についてさらに詳しく説明する。
【００１０】
図１は、この出願の発明のリフォーム用窓枠を形成する薄板の一形態を示した断面図である。
【００１１】
図１に示したように、この出願の発明のリフォーム用窓枠は、表面に化粧シート（１）が配設された薄板（２）から形成される。薄板（２）の表面への化粧シート（１）の配設には、たとえば接着剤を用いる貼着等の適宜な方式を採用することができる。薄板（２）の厚さは、化粧シート（１）の厚さを含めて0.5〜３mmの範囲内とすることができる。このような薄厚の薄板（２）とするのは、既設の窓枠に配設されたサッシュの立ち上がり片部の高さ以内に納めるためであり、既製の窓枠への配設に見切り材を不用とし、美麗に仕上げるためである。薄板（２）の基材（３）としては、たとえば木粉複合樹脂板が例示される。具体的には、ポリプロピレン３７％、マレイン酸変性ポリプロピレン３％、木粉１０％、マイカ５０％の配合とし、混練して押出成形により作製することができる。このような木粉複合樹脂板は、耐水性と表面硬度に優れ、薄板（２）用の基材（３）として好適である。
【００１２】
このような薄板（２）の裏面にはＶ溝（４）が設けられる。Ｖ溝（４）の形成には種々の方式を採用することができ、たとえば９０°Ｖカット、Ｃ面Ｖカット等が例示される。
【００１３】
そして、この出願の発明のリフォーム用窓枠は、Ｖ溝（４）で折り曲げられて、図２に示したような断面コ字型形状部（５）を有する。断面コ字型形状部（５）では、図２に示したように、内面三面が補強材（６）により連結されている。この補強材（６）による内面三面の連結により断面コ字型形状部（５）は、薄厚の薄板（２）から形成されるのにもかかわらず、十分な強度を有し、形状が安定に保持される。
【００１４】
このようなリフォーム用窓枠を用いてリフォームする際には、図３に示したように、既設の窓枠の長さ、幅、チリ寸法に合うように、所定の部位を切断する。このときの切断は、リフォーム用窓枠（７）が図１に示した薄板（２）から形成されているため、長さ以外の寸法調整にはカッターナイフを用いることができ、また、長さ調整の際には、断面コ字型形状部（５）の内面三面が補強材（６）により連結され、補強されているため、断面コ字型形状部（５）が損傷することはない。
【００１５】
次いで、リフォーム用窓枠（７）を既設の窓枠（８）に被着する。リフォーム用窓枠（７）は、前述のとおりの薄板（２）から形成されているため、既設の窓枠（８）に配設されたサッシュ（９）の立ち上がり片部（１０）の高さ以内に納まる。見切り材は不用であり、このため、美麗に仕上がる。リフォーム用窓枠（７）の既設の窓枠（８）への固定には、接着剤、かくし釘（１１）等を用いることができる。
【００１６】
なお、この出願の発明のリフォーム用窓枠における断面コ字型形状部（５）の内面三面を連結する補強材（６）としては、たとえばウレタン樹脂とすることができる。この場合、図４に示したように、断面コ字型形状部（５）を型枠（１２）内に入れ、形状を保持させた後、この状態においてウレタン樹脂（１３）を断面コ字型形状部（５）の内側に注入する。そして、ウレタン樹脂（１３）の硬化後、型枠（１２）より取り出すと、断面コ字型形状部（５）の内面三面が連結されている。
【００１７】
また、補強材（６）には、図５に示したように、合板、ＭＤＦ等の板材（１４）を用いることができる。この場合には、後に板材（１４）が断面コ字型形状部（５）の内面三面に当接する薄板（２）の裏面の所定部位にホットメルト系接着剤（１５）を塗布等により配設し、板材（１４）を配置する。この後、薄板（２）をＶ溝（４）で折り曲げ、断面コ字型形状部（５）を形成し、ロール（１６）等を用いて圧締等する。これにより、ホットメルト系接着剤（１５）を介して断面コ字型形状部（５）の内面三面が板材（１４）により連結される。
【００１８】
もちろん、この出願の発明は、以上の実施形態によって限定されるものではない。薄板を形成する化粧シート及び基材の材質、Ｖ溝の形成方式等の細部については様々な態様が可能であることはいうまでもない。
【産業上の利用可能性】
【００１９】
以上詳しく説明したとおり、この出願の発明によって、薄厚にもかかわらず十分な強度を有し、既設の窓枠に簡便に被着され、美麗に仕上げることのできるリフォーム用窓枠が提供される。
【図面の簡単な説明】
【００２０】
【図１】この出願の発明のリフォーム用窓枠を形成する薄板の一形態を示した断面図である。
【図２】この出願の発明のリフォーム用窓枠の概要を示した断面図である。
【図３】この出願の発明のリフォーム用窓枠を用いた既設の窓枠のリフォームを示した工程断面図である。
【図４】この出願の発明のリフォーム用窓枠における断面コ字型形状部の内面三面の連結方式を概略的に示した断面図である。
【図５】この出願の発明のリフォーム用窓枠における断面コ字型形状部の内面三面の連結方式を概略的に示した工程断面図である。
【符号の説明】
【００２１】
１    化粧シート
２    薄板
３    基材
４    Ｖ溝
５    断面コ字型形状部
６    補強材
７    リフォーム用窓枠
８    既設の窓枠
９    サッシュ
１０    立ち上がり片部
１１    かくし釘
１２    型枠
１３    ウレタン樹脂
１４    板材
１５    ホットメルト系接着剤
１６    ロール
【図１】
2005127067.tif 000003
【図２】
2005127067.tif 000004
【図３】
2005127067.tif 000005
【図４】
2005127067.tif 000006
【図５】
2005127067.tif 000007